(57)【要約】【課題】  上下方向の寸法を縮小しつつ、アタッカ装置の球詰まりを防ぐ。【解決手段】  遊技機に用いられるアタッカ装置１５は、大入賞口１７が設けられた本体２１、大入賞口１７を開閉する開閉部材２２、球カウント用の検出センサ２４を備える。本体２１は、箱体２６、後端壁２７、支持部材２８からなる。後端壁２７は、裏側の排出通路へパチンコ球５を排出する出口開口部３４、底壁３５を有する。底壁３５には、出口開口部３４へパチンコ球５を案内する案内面３５ａが形成されている。検出センサ２４は、矩形板状の外形に形成され、検出開口４０が形成されている。検出センサ２４は、後端壁２７と支持部材２８との間に挟み込まれ、出口開口部３４の位置に検出開口４０の位置を合わせて縦置き状態で固定される。検出開口４０の傾斜面４０ａは、底壁３５の案内面３５ａに連続し、且つ下方へ向かって傾斜している。【選択図】        図４
2006263263.tif 000002
【特許請求の範囲】
【請求項１】
遊技領域を形成する遊技盤内に装着された本体と、開閉部材と、遊技球の検出を行う検出センサとを備え、前記本体は、前記遊技盤の前面に位置し、遊技領域を流下した遊技球が入賞する入賞口、及びこの入賞口に入賞した遊技球を後方に案内する案内面が形成され、前記開閉部材は、前記入賞口を開閉するように配され、前記検出センサは、その内部を通過した遊技球を検出するための検出開口を有する平板状に形成されており、前記案内面と略直交する縦置き状態で、且つ前記案内面によって案内された遊技球が通過する通過位置に前記検出開口の位置を合わせて配されているアタッカ装置において、
前記検出開口は、前記案内面と連続し、後方に向かうにつれて徐々に下方へ傾斜する傾斜面を有することを特徴とするアタッカ装置。
【発明の詳細な説明】
【技術分野】
【０００１】
本発明は、パチンコ店などの遊技場に設置して使用される遊技機用のアタッカ装置に関するものである。
【背景技術】
【０００２】
本明細書中ではパチンコ機を例に挙げて説明しているため、遊技媒体としてパチンコ球を用いて説明するが、遊技媒体としてはメダルなどの他の媒体も含む。また、遊技機の遊技盤面に設けられた入賞口にパチンコ球が入ることを入賞とする。
【０００３】
例えば、パチンコ店などの遊技場で使用されるパチンコ機は、パチンコ球に一定の価値が与えられ、遊技を行って獲得したパチンコ球を種々の景品に交換することができる。このため、遊技者はパチンコ球を大量に獲得するということを主な目的とし、短期間のうちに大量のパチンコ球を獲得できる遊技モードでの遊技を行うことが楽しみの一つとなっている。
【０００４】
パチンコ機の一種としてデジパチタイプと呼ばれる種類のパチンコ機が知られている。デジパチタイプのパチンコ機には、通常モードや当たりモードなどの遊技モードが設定されているものがある。
【０００５】
当たりモードでは、大入賞口を開閉する開閉部材が開放位置となって大入賞口にパチンコ球が入り易くなり、通常モードでは、開閉部材が閉じ位置となる。大入賞口の１回の開放、すなわち１ラウンドは、例えば大入賞口が３０秒開放されるか又は大入賞口にパチンコ球が１０個入賞したことを検知するまで開放され続ける。当たりモードは、例えば１５ラウンド実行されると終了する。当たりモードでは大入賞口が開放されるため、通常モードよりも多くのパチンコ球を獲得することができる。このような大入賞口と、この大入賞口を開閉する開閉部材と、この開閉部材を駆動する駆動機構と、大入賞口に入賞したパチンコ球を検知する検知センサとからなるアタッカ装置が、例えば特許文献１に記載されている。
【０００６】
一方、従来よりパチンコ機では、遊技盤の略中央部には、役物装置や、液晶の画像表示装置が設けられており、上述したようなアタッカ装置は、遊技盤の下方部に組み込まれている。役物装置によるパチンコ球の動きや、画像表示装置による様々な演出画像は、パチンコ機で遊技する上でのもう１つの楽しみであり、パチンコ機の面白さを向上させるために、これら役物装置や画像表示装置のサイズをさらに大きくすることが要求されている。
【０００７】
図６には、従来の一般的な構成のアタッカ装置が組み込まれたパチンコ機を示す。このパチンコ機８０に設けられたアタッカ装置８１は、大入賞口８２が設けられた本体８３、及び大入賞口８２を開閉する開閉部材８４、本体８３の後方に位置する排出通路８６、及び検出センサ８５を有する。また、本体８３の前面には、飾り板８７が一体に形成されている。飾り板８７は、パチンコ機８０の遊技盤８８に固着される。検出センサ８５には、パチンコ球５の直径に合わせた検出開口８５ａが形成されており、この検出開口８５ａをパチンコ球５が通過すると検知信号が出力される。なお、アタッカ装置８１は、大入賞口８２に入賞したパチンコ球５を遊技盤８８の後方へ排出しなければならないので、入賞通路８９の奥行き寸法は、遊技盤８８の厚さＴ（図６参照）より長く、又はほぼ同じ長さに形成している。
【０００８】
このアタッカ装置８１を構成する検出センサ８５は、大入賞口８２から略水平に延びる入賞通路８９の底面８９ａよりも低い位置で底面８９ａの後方側に横置き状態で設置されている。このように検出センサ８５を横置き状態で設置することによってパチンコ球５を確実に通過させて検出しようとしている。ところが、この検出センサ８５を横置き状態で設置することによって、入賞通路８９を形成するのに必要な高さ寸法に検出センサ８５の厚みが加わるので、上下方向の寸法Ｈ２が大きくなるとともに、奥行き方向でも入賞通路８９の長さに検出センサ８５の幅が加わるので（飾り板８７を除く）奥行き方向の寸法Ｌ２も長くなっており、アタッカ装置８１のコンパクト化を妨げていた。
【０００９】
そこで、アタッカ装置のコンパクト化を図り、特に高さ寸法Ｈ２を縮小するために、検出センサを縦置き状態にして設置することが考えられている。検出センサを縦置き状態としたアタッカ装置が組み込まれたパチンコ機を図７に示す。このパチンコ機９０に組み込まれたアタッカ装置９１は、大入賞口９２が設けられた本体９３、及び開閉部材８４、本体９３の後方に位置する排出通路９４、及び検出センサ８５とからなる。なお、この図７に示すパチンコ機９０では、上述の図６に示したパチンコ機８０と同様の部品を用いているものについては同符号を付して説明を省略する。このアタッカ装置９１を構成する検出センサ８５は、大入賞口９２から略水平に延びる入賞通路９６に対して略直交する垂直面と平行に縦置き状態で設置されているので、（飾り板８７を除く）上下方向の寸法Ｈ１を短縮でき、コンパクト化が可能となっている。
【特許文献１】特開２００３−１２６４１６
【発明の開示】
【発明が解決しようとする課題】
【００１０】
しかしながら、上述したような検出センサ８５を縦置き状態にしたアタッカ装置９１、及びこのアタッカ装置９１が組み込まれたパチンコ機９０では、入賞したパチンコ球がスムーズに流れずに球詰まりを起こす可能性が非常に高い。すなわち、上述したようなパチンコ機９１では、大入賞口９２に入賞したパチンコ球５は入賞通路９６の傾斜に沿って検出センサ８５の位置まで到達するが、検出センサ８５が縦置き状態となっているため、検出開口８５ａは、その内周面が水平方向とほぼ平行に位置している。これによって、検出センサ８５の内部に到達したパチンコ球５は、検出開口８５ａの位置で停滞してしまう可能性が高く、これが球詰まりの原因となってしまう。
【００１１】
本発明は、上記課題を解決するためになされたもので、上下方向の寸法を縮小してコンパクト化を図ることを可能とし、且つ球詰まりを防いでスムーズに遊技球が通過することが可能なアタッカ装置を提供することを目的とする。
【課題を解決するための手段】
【００１２】
上記目的を達成するために、本発明のアタッカ装置は、遊技領域を形成する遊技盤内に装着された本体と、開閉部材と、遊技球の検出を行う検出センサとを備え、前記本体は、前記遊技盤の前面に位置し、遊技領域を流下した遊技球が入賞する入賞口、及びこの入賞口に入賞した遊技球を後方に案内する案内面が形成され、前記開閉部材は、前記入賞口を開閉するように配され、前記検出センサは、その内部を通過した遊技球を検出するための検出開口を有する平板状に形成されており、前記案内面と略直交する縦置き状態で、且つ前記案内面によって案内された遊技球が通過する通過位置に前記検出開口の位置を合わせて配されているアタッカ装置において、前記検出開口は、前記案内面と連続し、後方に向かうにつれて徐々に下方へ傾斜する傾斜面を有することを特徴とする。
【００１３】
なお、本発明における遊技に要する遊技球（パチンコ球等）とは、遊技機による所定遊技を進行させるために使用する直径１１mm程度の球状の玉などの遊技機用価値媒体である。
【００１４】
また、本発明における検出センサとは、遊技媒体と非接触の状態で通過を検出するためのものであり、例えば、検出開口の周囲にコイルを配置し、通電したコイルに発生した磁束の変化が所定値を超えたときに遊技媒体の通過を検出する磁気式近接センサや、検出開口へ光を照射する発光部と、この発光部から照射された光を受光する受光部とからなる、例えばフォトインタラプタなどの光学式センサである。
【発明の効果】
【００１５】
本発明によれば、案内面と連続し、後方に向かうにつれて徐々に下方へ傾斜する傾斜面を有する検出開口が形成された検出センサを、垂直面に対してほぼ平行に、且つ案内面によって案内された遊技球が通過する通過位置に検出開口の位置を合わせて取り付けているので、コンパクト化を図ることを可能としながら、遊技球の流れをスムーズにすることを可能とし、球詰まりを防ぐことができる。
【発明を実施するための最良の形態】
【００１６】
図１にパチンコ機１０の外観を示し、先ず、パチンコ機１０の遊技の流れの概略を説明する。パチンコ機１０では、通常モード、当たりモードの２つの遊技モードが設けられている。後述する始動入賞口１３にパチンコ球５が入賞すると、当たりモードに移行する権利のみを付与する当たり又はハズレのいずれかを抽選により決定する当たり決定抽選が行われる。当たり決定抽選で当たりに当選すると通常モードから当たりモードに移行される。当たりモードでは、通常モードで閉じられた状態となっている大入賞口（入賞口）１７が開放される。なお、大入賞口１７は後述するアタッカ装置１５に設けられている。そして、１回の当たりモードでは大入賞口１７を開放する回数は例えば１５回となっており、大入賞口１７は１回の開放につき例えば３０秒経過するまで又はパチンコ球５が１０個入賞するまで開放される。
【００１７】
次に、パチンコ機１０の構成を説明する。パチンコ機１０の遊技盤１１の遊技盤面１１ａには図柄表示装置１２が組み込まれている。また、遊技盤面１１ａには、始動入賞口１３、通常入賞口１４、アタッカ装置１５、アウト口１６が設けられ、さらに図示は省略してあるが、障害釘や風車などが設けられている。
【００１８】
また、パチンコ機１０には発射ハンドル１８が設けられており、発射ハンドル１８が操作されると、パチンコ球５は発射制御装置によって一個ずつ遊技盤面１１ａ上の遊技領域に打ち出され、始動入賞口１３又は通常入賞口１４のいずれかに入賞するか、あるいは、ハズレ扱いとなるアウト口１６に入る。始動入賞口１３、通常入賞口１４、大入賞口１７にパチンコ球５が入賞すると、入賞した入賞口ごとに割り当てられた個数のパチンコ球５が払い出し口１９から受け皿２０に払い出される。
【００１９】
図２及び図３に示すように、アタッカ装置１５は、大入賞口１７が設けられた本体２１、大入賞口１７を開閉する開閉部材２２、開閉部材２２を駆動する駆動機構２３、及び球カウント用の検出センサ２４からなる。本体２１は、箱体２６と、この箱体２６の後端を塞ぐ後端壁２７と、後端壁２７の背面側に位置する支持部材２８とからなり、これらはネジ止めによって互いに固着されている。
【００２０】
箱体２６は、略水平方向に延びる矩形の箱状で、大入賞口１７から連続する入賞通路２９（図４参照）を形成する。箱体２６の前面には、遊技盤面１１ａに固着される飾り板３１が一体に設けられている。飾り板３１は、横長矩形板状に形成され、その略中央に大入賞口１７が位置するように配設されている。
【００２１】
後端壁２７は、入賞通路２９と略直交する垂直面とほぼ平行に配設され、後述する排出通路３２へパチンコ球５を排出する出口開口部３４が形成されており、さらに箱体２６の底面を塞ぎ、箱体２６とともに入賞通路２９を形成する底壁３５、及び側壁の一部を構成する突起部３６，３７が一体に形成されている。底壁３５は、パチンコ球５を出口開口部３４に導く第１〜第３傾斜面３５ａ〜ｃが形成されている。
【００２２】
第１の傾斜面（案内面）３５ａは、出口開口部３４及び第２の傾斜面３５ｂと連続する略三角形状で、出口開口部３４に向かって下方に傾斜しており、大入賞口１７に入賞したパチンコ球５を後方の出口開口部３４に案内する（この案内面で案内された遊技球の位置が通過位置である。）。第２の傾斜面３５ｂは、突起部３７、大入賞口１７、及び第１の傾斜面３５ａに接する略三角形状で出口開口部３４に向かって下方に傾斜している。第３の傾斜面３５ｃは、後端壁２７に沿って形成された横長矩形状で、出口開口部３４に向かって下方に傾斜している。
【００２３】
アタッカ装置１５は、大入口１７に入賞したパチンコ球５を遊技盤１１の裏側へ排出しなければならないので、入賞通路２９の奥行き寸法は、遊技盤１１の厚さＴ（図４参照）より長く、又は同じ長さに形成している。
【００２４】
支持部材２８は、駆動機構２３及び検出センサ２４を支持するとともに、排出通路３２が一体に形成されている。排出通路３２は、出口開口部３４の裏面側に配設しており、出口開口部３４から排出されたパチンコ球５が通過するようになっている。また排出通路３２の前面には、後述する押え面３９が形成されている。
【００２５】
検出センサ２４は、矩形板状の外形に形成されており、パチンコ球５に合わせた検出開口４０が形成されている。この検出センサ２４は、いわゆる磁気式近接センサであり、検出開口４０の周囲に配置されたコイル４１（図４参照）に給電が行なわれ、磁束を発生させる。これによって、コイル４１に発生した磁束の内部、すなわち検出開口４０の内部をパチンコ球５が通過すると検知信号が出力され、パチンコ機１０の制御部へ送信される。
【００２６】
検出センサ２４の検出開口４０の形状は、詳しくは図４に示すように、一方の面２４ａから他方の面２４ｂに向かって徐々に開口面積が増加するように形成されている。
【００２７】
検出センサ２４は、詳しくは図４及び図５に示すように、後端壁２７の背面２７ａに形成された取付部４５に取り付けられる。取付部４５は、検出センサ２４の外形に合わせた矩形枠状の嵌合部４５ａと、この嵌合部４５ａの内部に形成された位置決め面４５ｂとからなる。嵌合部４５ａは、出口開口部３４の位置に検出開口４０の位置を合わせて検出センサ２４を嵌合することができるように形成されている。位置決め面４５ｂは、垂直面と略平行に形成されており、検出センサ２４の一方の面２４ａと当接して検出センサ２４を位置決めする。そして、この位置決め面４５ｂと対面する位置に、支持部材２８の押え面３９が位置している。押え面３９は、検出センサ２４の他方の面２４ｂに当接して検出センサ２４を後端壁２７の側へ押え付ける。これによって、取付部４５ｂの嵌合部４５ａに検出センサ２４を嵌合させ、且つ位置決め面４５ｂに検出センサ２４を当接させた状態で、支持部材２８を後端壁２７にネジ止めすることによって、検出センサ２４は、後端壁２７と支持部材２８との間に挟み込まれて取り付けられる。このようにして組み込まれた検出センサ２４の検出開口４０は、その一部の傾斜面４０ａが傾斜面３５ａ（案内面）と連続し、且つ後方に向かうにつれて徐々に下方へ傾斜するように配される。
【００２８】
開閉部材２２は、大入賞口１７に合わせた横長矩形状に形成され、両端部に位置する側板部５１ａ，５１ｂと、ヒンジ部５２とを有する。この開閉部材２２は、ヒンジ部５２に取り付けられた回転軸５３を介して箱体２６に回動自在に取り付けられる。側板部５１ａ，５１ｂは、開閉部材２２が開き位置に回動されたとき、開閉部材２２から大入賞口１７側へ突出するように形成されており、開閉部材２２に流下したパチンコ球５を大入賞口１７側へ導く。また、開閉部材２２には、一方の側板部５１ａが形成されている端部にヒンジ部５２を中心にして側板部５１ａと反対側の位置に被押圧突起部５４が形成されている。側板部５１ａ、及び被押圧突起部５４は、後述するリンク部材５５によって押圧されて開閉部材をヒンジ部５２を中心にして回動させる。
【００２９】
駆動機構２３は、リンク部材５５、ソレノイド５６、このソレノイド５６の駆動鉄芯５６ａを付勢する付勢部材５７とからなる。リンク部材５５は、支持部材２８に形成された取り付けピン５９と回動自在に嵌合する取り付け穴５５ａと、駆動鉄芯５６ａと係合する係合溝５５ｂと、取り付け穴５５ａと中心軸をずらして形成されたリンクピン５５ｃとを有する。リンクピン５５ｃは、開閉部材２２の側板部５１ａ及び被押圧突起部５４と当接する。なお、支持部材２８には、ソレノイド５６を下方から支持する支持突起部６１が一体に設けられている。
【００３０】
ソレノイド５６は、駆動鉄芯５６ａ、ボビン５６ｂ、及びこれらを保持するフレーム５６ｃからなる。駆動鉄芯５６ａの先端部には、略円盤状でリンク部材５５を押圧する連結部５６ｄが一体に形成されている。付勢部材５７は、フレーム５６ｃ及び連結部５６ｄの間に取り付けられている。なお、付勢部材５７としては、図２に示すようにコイルばねが用いられるが、これに限らず板ばねなどでもよい。ソレノイド５６は、その作動条件によって、ボビン５６ｂへの通電状態及び無通電状態が切り替えられて駆動鉄芯５６ａが移動する。そして、無通電状態のとき、駆動鉄芯５６ａは、付勢部材５７の付勢によってボビン５６ｂから突出する位置にあり、このとき、駆動鉄芯５６ａと係合するリンク部材５５は、リンクピン５５ｃによって開閉部材２２の被押圧突起部５４を押圧する。このリンクピン５５ｃからの押圧によって開閉部材２２は閉じ位置に保持され、大入賞口１７は閉じられた状態となる。そして、通電状態のとき、駆動鉄芯５６ａは、付勢部材５７の付勢に抗してボビン５６ｂの内部に引き込まれ、このとき、リンク部材５５は、図中時計方向に回動してリンクピン５５ｃが上方に移動し、開閉部材２２の側板部５１ａを押圧する。このリンクピン５５ｃからの押圧によって開閉部材２２は開放位置に移動する。開閉部材２２は、ボビン５６ｂへの通電状態が続く限り、この開放位置に保持され、大入賞口１７は開放状態となる。
【００３１】
なお、ソレノイド５６は、付勢部材５７とともにユニット化され、このソレノイド５６及び付勢部材５７のセットで組み付けられる。本実施形態では、後端壁２７及び支持部材２８の間に挟み込まれて保持され、検出センサ２４と近接する位置に固定される。
【００３２】
次に、上記のように構成されたパチンコ機の作用について説明する。上述したように、検出センサ２４を後端壁２７の背面に沿って、垂直面とほぼ平行に縦置き状態で、且つ出口開口部３４の位置に検出開口４０の位置を合わせて取り付けている。これによって、アタッカ装置１５は、（飾り板３１を除く）上下方向の寸法Ｈ１を短縮でき、コンパクト化が可能となっている。これに対して、従来構成のアタッカ装置は、入賞通路の底面より低い位置に検出センサが配置されていたため、上下方向の寸法が大きく、コンパクト化が困難であったが、本発明ではこのようなことがない。
【００３３】
さらに、アタッカ装置１５では、検出開口４０の一部の傾斜面４０ａが、傾斜面３５ａ（案内面）と連続し、且つ後方に向かうにつれて徐々に下方へ傾斜するよう配されているので、この傾斜面４０ａを流下してパチンコ球５が通過していくから、球詰まりを防ぎ、パチンコ球５を排出通路３２へスムーズに排出することができる。
【図面の簡単な説明】
【００３４】
【図１】本発明を適用したパチンコ機の斜視図である。
【図２】本発明のアタッカ装置の示す斜視図である。
【図３】アタッカ装置の構成を示す分解斜視図である。
【図４】アタッカ装置の要部断面図である。
【図５】検出センサとその周辺の構成を示す斜視図である。
【図６】従来のアタッカ装置を示す断面概略図である。
【図７】従来の検出センサを縦置き状態にしたアタッカ装置を示す断面概略図である。
【符号の説明】
【００３５】
１０  パチンコ機
１５，８１，９１  アタッカ装置
１７  大入賞口（入賞口）
２１  本体
２２  開閉部材
２４，８５  検出センサ
３４  出口開口部
３５ａ  傾斜面（案内面）
４０  検出開口
４０ａ  傾斜面
【図１】
2006263263.tif 000003
【図２】
2006263263.tif 000004
【図３】
2006263263.tif 000005
【図４】
2006263263.tif 000006
【図５】
2006263263.tif 000007
【図６】
2006263263.tif 000008
【図７】
2006263263.tif 000009